(57)【要約】【課題】金属枠材を複合サッシと金属サッシの両方に兼用することができ、金属枠材を金属サッシに用いた場合でも意匠性の良好な複合サッシを提供する。【解決手段】建物開口部に設けられる枠体１内に障子２を納めてなり、枠体１を構成する金属枠材２０の室内側に樹脂枠材２１を配設してなり、金属枠材２０の室内側部には係合部２０ａが形成されると共に、係合部２０ａと見込方向に異なる位置に係合金具５０が設けられ、樹脂枠材２１は係合部２０ａ及び係合金具５０にそれぞれ係合する２箇所の係合部２１ａ、２１ｂが形成されてなる。【選択図】図３
2008231773.tif 000002
【特許請求の範囲】
【請求項１】
建物開口部に設けられる枠体内に障子を納めてなり、前記枠体を構成する金属枠材の室内側に樹脂枠材を配設してなる複合サッシにおいて、
前記金属枠材の室内側部には係合部が形成されると共に、該係合部と見込方向に異なる位置に係合金具が設けられ、前記樹脂枠材は前記係合部及び係合金具にそれぞれ係合する２箇所の係合部が形成されてなることを特徴とする複合サッシ。
【請求項２】
前記係合部は前記金属枠材の室内側端部近傍に形成され、前記係合金具は前記係合部より室外側寄りに形成されることを特徴とする請求項１記載の複合サッシ。
【請求項３】
前記係合金具は平板状の基部と、該基部から略垂直方向に突出する係合突起部とからなり、前記基部は前記金属枠材に対してネジ止めするためのネジ孔が形成されると共に、前記係合突起部は先端部が傾斜状に形成されてなることを特徴とする請求項１または２記載の複合サッシ。
【請求項４】
前記樹脂枠材の室外端部には前記障子の室内面に当接する軟質樹脂からなる気密材が一体的に形成されることを特徴とする請求項１〜３のいずれか１項に記載の複合サッシ。
【発明の詳細な説明】
【技術分野】
【０００１】
本発明は、金属枠材の室内側に樹脂枠材を配設してなる複合サッシに関し、特に金属枠材を金属サッシにも転用可能な複合サッシに関する。
【背景技術】
【０００２】
従来、建物開口部に設けられる枠体内に障子を納めてなるサッシにおいて、金属枠材の室内側に樹脂枠材を配設してなる複合サッシが知られている。このような複合サッシとしては、例えば特許文献１に挙げるようなものがある。
【特許文献１】特開２０００−３２０２５０号公報
【発明の開示】
【発明が解決しようとする課題】
【０００３】
複合サッシにおいては、枠材の強度を充分に保つため、樹脂枠材は金属枠材に対して複数箇所で固定される。このため、金属枠材にはサッシの見込方向に複数の取付部が設けられる。しかし、部品の共用化を図るために金属枠材を金属サッシにも転用した場合、サッシの見込方向に複数の樹脂枠材の取付部があると、意匠性を悪化させることとなっていた。
【０００４】
本発明は、前記課題を解決すべくなされたものであり、金属枠材を複合サッシと金属サッシの両方に兼用することができ、金属枠材を金属サッシに用いた場合でも意匠性の良好な複合サッシを提供することを目的とする。
【課題を解決するための手段】
【０００５】
上記課題を解決するため、本発明にかかる複合サッシは、建物開口部に設けられる枠体内に障子を納めてなり、前記枠体を構成する金属枠材の室内側に樹脂枠材を配設してなる複合サッシにおいて、
前記金属枠材の室内側部には係合部が形成されると共に、該係合部と見込方向に異なる位置に係合金具が設けられ、前記樹脂枠材は前記係合部及び係合金具にそれぞれ係合する２箇所の係合部が形成されてなることを特徴として構成されている。
【０００６】
また、本発明にかかる複合サッシは、前記係合部は前記金属枠材の室内側端部近傍に形成され、前記係合金具は前記係合部より室外側寄りに形成されることを特徴として構成されている。
【０００７】
さらに、本発明にかかる複合サッシは、前記係合金具は平板状の基部と、該基部から略垂直方向に突出する係合突起部とからなり、前記基部は前記金属枠材に対してネジ止めするためのネジ孔が形成されると共に、前記係合突起部は先端部が傾斜状に形成されてなることを特徴として構成されている。
【０００８】
さらにまた、本発明にかかる複合サッシは、前記樹脂枠材の室外端部には前記障子の室内面に当接する軟質樹脂からなる気密材が一体的に形成されることを特徴として構成されている。
【発明の効果】
【０００９】
本発明にかかる複合サッシによれば、金属枠材の室内側部には係合部が形成されると共に、係合部と見込方向に異なる位置に係合金具が設けられ、樹脂枠材は係合部及び係合金具にそれぞれ係合する２箇所の係合部が形成されてなることにより、樹脂枠材を金属枠材に確実に取付けることができると共に、金属枠材を金属サッシに用いた場合に樹脂枠材の取付部によって意匠性を損なわないようにすることができる。
【００１０】
また、本発明にかかる複合サッシによれば、係合部は金属枠材の室内側端部近傍に形成され、係合金具は係合部より室外側寄りに形成されることにより、樹脂枠材を室内側と室外側で金属枠材に固定することができ、より確実な固定をなすことができる。
【００１１】
さらに、本発明にかかる複合サッシによれば、係合金具は平板状の基部と、基部から略垂直方向に突出する係合突起部とからなり、基部は金属枠材に対してネジ止めするためのネジ孔が形成されると共に、係合突起部は先端部が傾斜状に形成されてなることにより、簡易な構成で確実に樹脂枠材を固定することができる。
【００１２】
さらにまた、本発明にかかる複合サッシによれば、樹脂枠材の室外端部には障子の室内面に当接する軟質樹脂からなる気密材が一体的に形成されることにより、枠体と障子との間の気密性を高めることができる。
【発明を実施するための最良の形態】
【００１３】
本発明の実施形態について、図面に沿って詳細に説明する。本実施形態では、オーニング窓として構成された複合サッシについて説明する。図１にはオーニング窓の縦断面図を、図２にはオーニング窓の横断面図を、それぞれ示している。これら各図に示すように、オーニング窓は、建物開口部に取付けられる枠体１内に開閉装置５を介して上下方向に複数設けられる障子２を納めてなるものであり、それぞれの障子２は開閉装置５によって回動されることで、開閉自在とされている。
【００１４】
枠体１は、上枠１０と下枠１１及び左右の縦枠１２、１２を方形状に枠組みしてなるものであり、それぞれ室内端部にはアングル部１３が設けられている。各アングル部１３より室内側にはそれぞれ額縁材８が取付けられて、枠体１が建物開口部内に納められている。
【００１５】
また、枠体１を構成する各枠材は、金属枠材の室内側に樹脂枠材を配設して構成されている。上枠１０は、室外側の金属上枠２０と、その室内側に設けられる樹脂上枠２１とからなっている。下枠１１は、室外側の金属下枠２２と、その室内側に設けられる樹脂下枠２３とからなっている。縦枠１２は、室外側の金属縦枠２４と、その室内側に設けられる樹脂縦枠２５とからなっている。前述のアングル部１３は、樹脂上枠２１と樹脂下枠２３及び樹脂縦枠２５の室内端部にそれぞれ設けられている。
【００１６】
金属上枠２０の室内端部近傍には、見付方向内側に向かって延びる係合部２０ａが形成されている。また、係合部２０ａとは見込方向位置の異なる室外側部には、係合金具５０が取付けられている。金属下枠２２や金属縦枠２４についても同様に、室内端部近傍にそれぞれ係合部２２ａ、２４ａが形成され、それより室外側部にはそれぞれ係合金具５０が取付けられている。さらに、金属上枠２０のうち、障子２の室内面と対向する部分には、気密部材１４が取付けられ、この気密部材１４が障子２の室内面に当接して気密をなしている。
【００１７】
樹脂上枠２１には、アングル部１３のすぐ室外側部分に、金属上枠２０の係合部２０ａと係合する室内係合部２１ａが形成され、それよりも室外側には、金属上枠２０に取付けられる係合金具５０と係合する室外係合部２１ｂが形成されている。これらによって樹脂上枠２１は金属上枠２０と係合し、固定される。また、障子２の室内面と対向する樹脂上枠２１の室外端部には、軟質樹脂からなる気密材２１ｃが一体的に形成されて、障子２の室内面に当接している。これによって気密部材１４による気密と合わせ、枠体１と障子２の間で二重に気密し、より気密性を高めることができる。
【００１８】
樹脂下枠２３にも、金属下枠２２の係合部２２ａと係合する室内係合部２３ａと、金属下枠２２に取付けられる係合金具５０と係合する室外係合部２３ｂが形成され、また樹脂縦枠２５にも、金属縦枠２４の係合部２４ａと係合する室内係合部２５ａと、金属縦枠２４に取付けられる係合金具５０と係合する室外係合部２５ｂが形成される。さらに、金属下枠２２及び金属縦枠２４にもそれぞれ気密部材１４が設けられて障子２に当接すると共に、樹脂下枠２３には気密材２３ｃが、樹脂縦枠２５には気密材２５ｃが、それぞれ形成され障子２に当接する。
【００１９】
図３には、図１のうち上枠１０付近の拡大図を示している。この図に示すように、係合金具５０はネジ５５によって金属上枠２０に対して固定される。また、係合金具５０は断面形状において略Ｔ字状に形成され、見付方向内側に向かって突出する係合突起部５２に対して、断面略Ｌ字状に形成された樹脂上枠２１の室外係合部２１ｂが係合する。
【００２０】
係合金具５０についてさらに詳細に説明する。図４には係合金具の平面図を、図５には図４のＡ−Ａ断面図を、それぞれ示している。これらの図に示すように、係合金具５０は平板状の部材を切欠及び折り曲げ加工してなるものであり、平板状の基部５１と、基部５１から略垂直方向に突出する係合突起部５２とを有している。
【００２１】
基部５１には、金属枠材に対してネジ止めするためのネジ孔５３が形成されている。また、係合突起部５２は中間部より先端側が所定角度折り曲げられて折り曲げ部５４を構成している。この折り曲げ部５４に対して樹脂枠材の室外係合部の先端部分が係合することができる。
【００２２】
図６には、金属上枠２０と樹脂上枠２１の分解断面図を示している。この図に示すように、金属上枠２０の係合部２０ａよりも室外側部分には、樹脂上枠２１を取付けるための構成を元々有していない。ここに係合金具５０をネジ５５により固定し、金属上枠２０に取付けられた係合金具５０に対して樹脂上枠２１の室外係合部２１ｂが係合すると共に、金属上枠２０の係合部２０ａに対して樹脂上枠２１の室内係合部２１ａが係合することで、樹脂上枠２１が金属上枠２０に固定される。なお、下枠１１や縦枠１２においても、同様にして金属枠材に対し係合金具５０がネジ止めされ、それに樹脂枠材が係合し固定される。
【００２３】
このように、金属枠材そのものは室内側部の係合部のほか、樹脂枠材を固定するための構成を有していない。したがってこの金属枠材を複合サッシではなく金属サッシに用いた場合にも、意匠性を損なわないようにすることができる。図１３には、オーニング窓を金属サッシとした場合の縦断面図について示している。この図では開閉装置５は省略している。金属サッシの場合、枠体１を構成する上枠１０と下枠１１及び縦枠１２は、それぞれ図１及び図２に示す金属上枠２０、金属下枠２２、及び金属縦枠２４と同形状の金属枠材によって構成される。図１３に示すように、金属上枠２０には係合部２０ａが、金属下枠２２には係合部２２ａが、それぞれ形成される。また図示しないが金属縦枠２４には係合部２４ａが形成される。
【００２４】
金属上枠２０の係合部２０ａには、樹脂材からなりアングル部１３を構成するアングル部材２７が係合固定される。金属下枠２２の係合部２２ａにも、樹脂材からなりアングル部１３を構成するアングル部材２７が係合固定される。また図示しないが金属縦枠２４の係合部２４ａにも同様にアングル部材が係合固定される。
【００２５】
このように金属サッシにおいても各金属枠材の係合部にはアングル部材が係合固定されるから、係合部が直接露出することはなく、また係合金具５０を取付けなければそれ以外に樹脂枠材を固定するための構成も有していないので、複合サッシに用いる金属枠材によって金属サッシの枠体１を構成しても、意匠性を損なうことがないようにすることができる。
【００２６】
次に、枠体１内に納められる障子２について説明する。図１に示すように、障子２は同形状の２枚が縦方向に並設され、枠体１内に納められる。ただし、障子２は２枚に限らず、３枚または４枚を縦方向に並設するようにしてもよい。その場合においても、障子２はそれぞれ同形状に形成される。また、図１及び図２に示すように、障子２は上框３０と下框３１及び左右の縦框３２、３２を方形状に框組みしてなる框体３内にパネル体であるガラス体４を納めて構成される。上側の障子２と下側の障子２は、いずれも上辺を中心に室外側に向かって回動するようにされており、したがって上側の障子２の下框３１と、下側の障子２の上框３０は、互いに召し合わされる召合せ框とされている。
【００２７】
框体３を構成する各框材は、金属框材の室内側に樹脂框材を配設して構成されている。上框３０は、室外側の金属上框４０と、その室内側に設けられる樹脂上框４１とからなっている。下框３１は、室外側の金属下框４２と、その室内側に設けられる樹脂下框４３とからなっている。縦框３２は、室外側の金属縦框４４と、その室内側に設けられる樹脂縦框４５とからなっている。
【００２８】
以下、障子２の召合せ部分について詳細に説明する。図７には、上側の障子２と下側の障子２との召合せ部分の拡大断面図を示している。この図に示すように、一方の召合せ框である上側の障子２の下框３１には、樹脂下框４３の室内面のうち他方の召合せ框側の端部である下端部に、ヒレ状の水気密材２６が形成されている。水気密材２６は軟質樹脂からなり、硬質樹脂からなる樹脂下框４３に一体的に形成されている。
【００２９】
また、他方の召合せ框である下側の障子２の上框３０は、樹脂上框４１が基部材４６とパネル保持部材４７の二部材から構成されている。基部材４６は、金属上框４０に対する固定部４６ａと、室内面において一方の召合せ框側の端部である上端部に、上方に向かって突出する突出片４６ｂとを有している。また、パネル保持部材４７は、基部材４６に対する固定部４７ａと、ガラス体４の室内面を気密材を介して保持する押縁部４７ｂとを有している。
【００３０】
障子２が閉状態の場合、召合せ部分において、一方の召合せ框である下框３１の樹脂下框４３に形成された水気密材２６は、他方の召合せ框である上框３０の樹脂上框４１に形成された突出片４６ｂに当接している。これによって上下の障子２の間の召合せ部分において、室内側で水密性及び気密性を確保するようにしている。
【００３１】
図８には、障子２が開いた場合の召合せ部分の拡大断面図を示している。この図に示すように、樹脂下框４３に形成される水気密材２６は、先端側が枝分かれしており、室内側の枝部は、障子２が閉じた際に他方の召合せ框である上框３０の突出片４６ｂに当接する水気密枝部２６ａであり、室外側の枝部は、障子２が閉じた際に一方の召合せ框である下框３１の室内面に当接する保持枝部２６ｂである。保持枝部２６ｂは、障子２が閉じた際に下框３１の室内面に当接することで、突出片４６に当接する水気密枝部２６ａが室外側に必要以上に変形して破損することを防止する。
【００３２】
次に、開閉装置５の取付について説明する。図９には枠体１と開閉装置５の分解斜視図を示している。開閉装置５は、略箱状に形成される本体部６１と、本体部６１から室外側に突出して、縦枠１２内に設けられる開閉機構を動作させるリンク機構６１ａと、本体部６１に対して回動自在に取付けられるハンドル６２とから構成される。開閉装置５の取付けに際しては、まず縦枠１２に開口した取付部１２ａに取付ベース材６０が設けられる。取付ベース材６０は、中央に方形状の開口６０ａを有した略平板状の部材からなり、縦枠１２の室内面に対して固定されると共に、中央の開口６０ａにリンク機構６１ａを挿通させることができる。このようにして図２に示すように縦枠１２の室内側に開閉装置５が取付けられる。
【００３３】
図１０には、枠体１の開閉装置５が取付けられるのと反対側の縦枠付近の斜視図を示している。左右いずれの縦枠１２にも、開閉装置５を取付けることのできる取付部１２ａが設けられる。本実施形態では室内側から見て右側の縦枠１２に対して開閉装置５を取付けているが、反対側の縦枠１２の取付部１２ａに対しては、図１０に示すように取付ベース材６０と略同形状であって開口を有していない塞ぎ材６５が取付けられ、さらにそれを覆うようにカバー材６６が取付けられる。塞ぎ材６５には上下にそれぞれ室内側に向かって断面略Ｌ字状に突出する係合片６５ａが形成されている。
【００３４】
カバー材６６は、外形状を略直方体状に形成される。図１１にはカバー材６６の上部の斜視図を示している。この図に示すように、カバー材６６の上面からは、下方に向かって複数の垂下片が形成されており、室内側面とそれに隣接する垂下片により室内係合部６６ａが、室内係合部６６ａより室外側の２つの垂下片により室外係合部６６ｂが、それぞれ形成されている。なお、図示しないがカバー材６６の下部も同様に形成されている。
【００３５】
図１２には、複合サッシにおけるカバー材６６の取付を示した分解横断面図を示している。この図に示すように、カバー材６６は塞ぎ材６５の係合片６５ａに対してスライド状に係合される。ここで、複合サッシの場合には、金属縦枠２４の室内側に樹脂縦枠２５が設けられ、カバー材６６の室外面は樹脂縦枠２５の室内面に対して当接するように取付けられるため、カバー材６６の室外係合部６６ｂを塞ぎ材６５の係合片６５ａに対して係合させる。
【００３６】
図１４には、金属サッシにおけるカバー材６６の取付を示した分解横断面図を示している。図１３に示すように金属サッシとした場合には、樹脂縦枠２５が設けられないため、カバー材６６の室外面は金属縦枠２４の室内面に対して当接するように取付けられる。したがって、図１４に示すようにカバー材６６の室内係合部６６ａを塞ぎ材６５の係合片６５ａに対して係合させる。
【００３７】
図１５には、オーニング窓の開閉状態を表した縦断面図を示している。図１５（ａ）はオーニング窓の全閉状態を、図１５（ｂ）はオーニング窓を僅かに開いた状態を、図１５（ｃ）はオーニング窓の全開状態を、それぞれ示している。なお、この図に示すオーニング窓は、縦方向に障子２を３枚設けたものである。
【００３８】
以上、本発明の実施形態について説明したが、本発明の適用は本実施形態には限られず、その技術的思想の範囲内において様々に適用されうるものである。本実施形態では、オーニング窓について本発明を適用したものを示したが、本発明はオーニング窓に限らず、金属枠材の室内側に樹脂枠材を配設した複合サッシであれば、適用されうるものである。
【図面の簡単な説明】
【００３９】
【図１】オーニング窓の縦断面図である。
【図２】オーニング窓の横断面図である。
【図３】図１のうち上枠付近の拡大図である。
【図４】係合金具の平面図である。
【図５】図４のＡ−Ａ断面図である。
【図６】金属上枠と樹脂上枠の分解断面図である。
【図７】上側の障子と下側の障子との召合せ部分の拡大断面図である。
【図８】障子が開いた場合の召合せ部分の拡大断面図である。
【図９】枠体と開閉装置の分解斜視図である。
【図１０】枠体の開閉装置が取付けられるのと反対側の縦枠付近の斜視図である。
【図１１】カバー材の上部の斜視図である。
【図１２】複合サッシにおけるカバー材の取付を示した分解横断面図である。
【図１３】オーニング窓を金属サッシとした場合の縦断面図である。
【図１４】金属サッシにおけるカバー材の取付を示した分解横断面図である。
【図１５】オーニング窓の開閉状態を表した縦断面図である。
【符号の説明】
【００４０】
１    枠体
２    障子
３    框体
４    ガラス体
５    開閉装置
１０    上枠
１１    下枠
１２    縦枠
２０    金属上枠
２０ａ  係合部
２１    樹脂上枠
２１ａ  室内係合部
２１ｂ  室外係合部
２２    金属下枠
２２ａ  係合部
２３    樹脂下枠
２３ａ  室内係合部
２３ｂ  室外係合部
２４    金属縦枠
２４ａ  係合部
２５    樹脂縦枠
２５ａ  室内係合部
２５ｂ  室外係合部
２６    水気密材
２６ａ  水気密枝部
２６ｂ  保持枝部
３０    上框
３１    下框
３２    縦框
４０    金属上框
４１    樹脂上框
４２    金属下框
４３    樹脂下框
４４    金属縦框
４５    樹脂縦框
４６    基部材
４６ａ  固定部
４６ｂ  突出片
４７    パネル保持部材
４７ａ  固定部
４７ｂ  押縁部
５０    係合金具
５１    基部
５２    係合突起部
５３    ネジ孔
５４    折り曲げ部
【図１】
2008231773.tif 000003
【図２】
2008231773.tif 000004
【図３】
2008231773.tif 000005
【図４】
2008231773.tif 000006
【図５】
2008231773.tif 000007
【図６】
2008231773.tif 000008
【図７】
2008231773.tif 000009
【図８】
2008231773.tif 000010
【図９】
2008231773.tif 000011
【図１０】
2008231773.tif 000012
【図１１】
2008231773.tif 000013
【図１２】
2008231773.tif 000014
【図１３】
2008231773.tif 000015
【図１４】
2008231773.tif 000016
【図１５】
2008231773.tif 000017